(57)【要約】【課題】パネルの上方の隙間を、遮蔽部材により体裁よく遮蔽しうるようにするとともに、ガイドレールに遮蔽部材が接触するのを防止して、パネルを軽快に移動させることができるようにした移動式パネルを提供する。【解決手段】パネル本体の左右両側面に取り付けたサイドフレームの上端部の対向面同士を連結する上部フレーム３の上面に、左右方向を向く前後１対の遮蔽部材３７を、案内部材８を支持する上下方向を向く支持軸７を挟んで対向するとともに、ガイドレール９の前後面の少なくとも下端と離間して対向するようにして設ける。【選択図】図４
2013147897.tif 000002
【特許請求の範囲】
【請求項１】
上部が左右１対の案内部材をもって天井に架設したガイドレールにより案内され、下部が床面に走行自在なキャスタにより支持された移動式パネルにおいて、
パネル本体の左右両側面に取り付けたサイドフレームの上端部の対向面同士を連結する上部フレームの上面に、左右方向を向く前後１対の遮蔽部材を、前記案内部材を支持する上下方向を向く支持軸を挟んで対向するとともに、前記ガイドレールの前後面の少なくとも下端と離間して対向するようにして設けたことを特徴とする移動式パネル。
【請求項２】
上部フレームの上部に、左右方向を向く前後１対の凹溝を設け、この両凹溝に、遮蔽部材の下部を嵌合したことを特徴とする請求項１に記載の移動式パネル。
【請求項３】
遮蔽部材が、凹溝内に嵌合される内向きに弾性変形可能な下向きコ字状断面の基部と、この基部の上部に一体的に形成された、中空かつ可撓性の遮蔽部とからなることを特徴とする請求項２に記載の移動式パネル。
【請求項４】
遮蔽部の前後幅を、上方に向かうにしたがって前記ガイドレールから離間するように漸次狭幅としたことを特徴とする請求項３に記載の移動式パネル。
【請求項５】
凹溝に、遮蔽部材の基部を、上下位置変更可能として嵌合したことを特徴とする請求項３または４に記載の移動式パネル。
【請求項６】
凹溝内の前後の対向面に、上下複数の係止溝を設け、この複数の係止溝に、遮蔽部材における基部の前後の外面に設けた突部を選択的に係止させることにより、遮蔽部材の上下位置を調節しうるようにしたことを特徴とする請求項５に記載の移動式パネル。
【請求項７】
遮蔽部材の下部を、上部フレームの上面より起立する起立片と、この起立片と対向するようにして前記上部フレームの上面に着脱自在に取り付けた保持部材とにより、上下位置変更可能として挟持したことを請求項１に記載の移動式パネル。
【発明の詳細な説明】
【技術分野】
【０００１】
本発明は、上部が天井に架設したガイドレールにより案内され、下部が床面に走行自在なキャスタにより支持された、室内空間を仕切る移動式パネルに関する。
【背景技術】
【０００２】
この種の移動式パネルにおいては、その設置や施工性を良好とするために、天井及びガイドレールとパネル上端との間に余裕の隙間を設けるのが一般的である。このような隙間を設けると、パネルの上端部に設けた左右の支持軸が露呈して体裁が損なわれるとともに、光や音が漏れてしまうので、隙間を塞ぐ対策が講じられている（例えば、特許文献１及び２参照）。
【先行技術文献】
【特許文献】
【０００３】
【特許文献１】特開２００２−３５７０５４号公報
【特許文献２】特許第４８０２８８７号公報
【発明の概要】
【発明が解決しようとする課題】
【０００４】
前記特許文献２に記載されている移動式パネルにおいては、パネルの上端部に取り付けた前後の外装板に、天井方向を向くブラシ等の遮蔽部材を設けるとともに、スポンジ等よりなる別の遮蔽部材を支持軸に嵌合することにより、パネルの上方に形成される隙間を遮蔽するようにしているので、支持軸が露呈することはなく、かつ光や音が漏れにくいという利点がある。しかしながら、両遮蔽部材は別体をなし、一体感を呈しないので、外観的体裁が悪く、かつ支持軸に嵌合した遮蔽部材の交換作業も面倒である。
【０００５】
このような問題を解決するために、本願の出願人は、パネルの上方の隙間を、左右方向に連続する遮蔽部材により体裁よく遮蔽しうるようにした移動式パネルを案出し、先に特許出願している。しかし、この先願の移動式パネルにおいては、遮蔽部材の上端がガイドレールの下端と摺接するようにしてあるため、パネルを移動させる際に蛇行したり、前後方向に傾斜したりすると、遮蔽部材とガイドレールとの摺動抵抗が大きくなり、パネルを軽快に移動させることができなくなる恐れがあるとともに、遮蔽部材を摩耗させる恐れがあることが分かった。
【０００６】
一方、特許文献２に記載の移動式パネルは、パネルの上端部に形成した凹溝部内に、ガイドレールの下部を、スライダーを介して左右方向に摺動可能に嵌合することにより、パネルの上方の隙間を遮蔽して光や音漏れを防止するとともに、パネルを移動させる際の蛇行を防止するようにしたものであるが、この移動式パネルにおいても、パネルが前後方向に少しでも傾斜すると、スライダーとガイドレールとの摺動抵抗が大となり、パネルを軽快に移動させることができなくなる恐れがあるとともに、スライダーが摩耗して、がたが発生する恐れがある。
【０００７】
本発明は、このような問題点に着目してなされたもので、パネルの上方の隙間を、遮蔽部材により体裁よく遮蔽しうるようにするとともに、ガイドレールに遮蔽部材が接触するのを防止して、パネルを軽快に移動させることができるようにした移動式パネルを提供することを目的としている。
【課題を解決するための手段】
【０００８】
前記課題を解決するために、本発明の移動式パネルは、
上部が左右１対の案内部材をもって天井に架設したガイドレールにより案内され、下部が床面に走行自在なキャスタにより支持された移動式パネルにおいて、
パネル本体の左右両側面に取り付けたサイドフレームの上端部の対向面同士を連結する上部フレームの上面に、左右方向を向く前後１対の遮蔽部材を、前記案内部材を支持する上下方向を向く支持軸を挟んで対向するとともに、前記ガイドレールの前後面の少なくとも下端と離間して対向するようにして設けたことを特徴としている。
この特徴によれば、上部フレームとガイドレールとの間に形成される隙間を、左右方向に連続する前後１対の遮蔽部材により体裁よく遮蔽することができるとともに、左右の支持軸も前後の遮蔽部材により体裁よく覆うことができる。また、前後の遮蔽部材は、ガイドレールの前後両面の下端と離間して対向しているので、パネルを走行する際にこれが前後方向に傾斜しても、ガイドレールと接触して摺動抵抗が大きくなる恐れはなく、従ってパネルを軽快に移動させることができるとともに、遮蔽部材を摩耗させる恐れもない。
【０００９】
本発明の移動式パネルは、
上部フレームの上部に、左右方向を向く前後１対の凹溝を設け、この両凹溝に、遮蔽部材の下部を嵌合したことを特徴としている。
この特徴によれば、遮蔽部材の下部を凹溝に嵌合するだけで、上部フレームに遮蔽部材を容易に取り付けることができ、かつ遮蔽部材の交換作業を容易に行うことができる。
【００１０】
本発明の移動式パネルは、
遮蔽部材が、凹溝内に嵌合される内向きに弾性変形可能な下向きコ字状断面の基部と、この基部の上部に一体的に形成された、中空かつ可撓性の遮蔽部とからなることを特徴としている。
この特徴によれば、基部を内向きに弾性変形させることにより、遮蔽部材を凹溝に容易に嵌合することができる。また、遮蔽部は、中空かつ可撓性を有しているので、パネルが前後方向に大きく揺動して、遮蔽部がガイドレールに接触したとしても、パネルの移動の妨げとなったり、ガイドレールや遮蔽部を損傷させたりすることがない。
【００１１】
本発明の移動式パネルは、
遮蔽部の前後幅を、上方に向かうにしたがって前記ガイドレールから離間するように漸次狭幅としたことを特徴としている。
この特徴によれば、前後の遮蔽部が、ガイドレールの前後面と大きく離間するようになるので、パネルの走行時に前後方向に大きく傾斜しても、遮蔽部の上端部がガイドレールと干渉しにくくなる。
【００１２】
本発明の移動式パネルは、
凹溝に、遮蔽部材の基部を、上下位置変更可能として嵌合したことを特徴としている。
この特徴によれば、床面や天井の高さ等に対応して、遮蔽部材の上下位置を最適に調節することができる。
【００１３】
本発明の移動式パネルは、
凹溝内の前後の対向面に、上下複数の係止溝を設け、この複数の係止溝に、遮蔽部材における基部の前後の外面に設けた突部を選択的に係止させることにより、遮蔽部材の上下位置を調節しうるようにしたことを特徴としている。
この特徴によれば、遮蔽部材の上下位置を、段階的に容易に調節しうるとともに、調節後において遮蔽部材が妄りに上下方向に移動する恐れがない。
【００１４】
本発明の移動式パネルは、
遮蔽部材の下部を、上部フレームの上面より起立する起立片と、この起立片と対向するようにして前記上部フレームの上面に着脱自在に取り付けた保持部材とにより、上下位置変更可能として挟持したことを特徴としている。
この特徴によれば、遮蔽部材を起立片と保持部材とにより挟持して、上部フレームに固定することができるので、パネルの輸送時や施工時に遮蔽部材が位置ずれしたり、外れたりするのが防止される。
【図面の簡単な説明】
【００１５】
【図１】本発明の実施例１の移動式パネルの正面図である。
【図２】同じく、右側上部の拡大斜視図である。
【図３】同じく、右側上部の拡大分解斜視図である。
【図４】図１のIV−IV線に沿う拡大縦断側面図である。
【図５】隣接する左右の移動式パネルを当接させたときの対向部の中央縦断正面図である。
【図６】本発明の実施例２の移動式パネルの要部の縦断側面図である。
【発明を実施するための形態】
【００１６】
本発明に係る移動式パネルを実施するための形態を実施例に基づいて以下に説明する。
【実施例１】
【００１７】
図１は、本発明の実施例１に係わる移動式パネルの正面図で、この移動式パネル１は、左右１対のサイドフレーム２、２と、それらの上下の端部の対向面同士を連結する上部フレーム３及び下部フレーム４と、これら上下左右のフレーム２、３、４により囲まれた枠状空間に嵌め込まれたパネル本体としてのガラスパネル５とを備えている。
【００１８】
下部フレーム４の下面の凹部には、床面Ｆの上面を左右方向に走行する左右１対のキャスタ６、６が取り付けられている。また、上部フレーム３には、上下方向を向く左右１対の支持軸７が取り付けられ、両支持軸７の上端部には、案内部材であるガイドローラ８が回転自在に枢着されている。
【００１９】
天井Ｒの下面に取り付けた側面視下向きコ字状断面をなすガイドレール９に、左右のガイドローラ８を転動可能に嵌合することにより、移動式パネル１を、下部のキャスタ６を床面Ｆ上を走行させるようにして、ガイドレール９に沿って左右方向に移動させることができる。
【００２０】
図２〜図５は、サイドフレーム２と上部フレーム３との連結構造と、上部フレーム３への支持軸７の具体的な取付構造を示している。なお、これらの構造は、左右対称であるので、右方のものについてのみ説明する。
【００２１】
前述したサイドフレーム２は、内部に上下両方向に開口する中空孔１０を有する概ね角管状をなし、内側面の前後方向の中央部には、ガラスパネル５の側端部が嵌合される上下方向の開口部１１が形成されている。また、サイドフレーム２の内端には、外向鍔片１２、１２が前後反対向きに一体的に突設されている。
【００２２】
サイドフレーム２の外側面の前後方向の中央部には、外側方と上下両方向に開口するあり溝状の嵌合凹部１３が、上下方向に全長に亘って形成されている。この嵌合凹部１３には、隣接する移動式パネル１のサイドフレーム２同士が当接した際に、その衝撃を緩和するためのゴム、エラストマーまたは軟質合成樹脂等よりなる緩衝部材１４が嵌め込まれている。
【００２３】
前後幅をガイドレール９よりも大とされた上部フレーム３は、内部に左右両方向に開口する中空孔１５を有する概ね角管状をなし、下面の前後方向の中央部には、左右方向を向く下向突部１６が突設され、この下向突部１６に形成された下方に開口する凹部１７には、ガラスパネル５の上端部が、パッキン１８を介して嵌合されている。また、上部フレーム３の前後両端部の上面には、その上面板３ａの前後の端部を外向きＬ字状をなすように下向きに折曲するとともに、前後の側面板３ｂ、３ｂの上端に上方を向く起立片３ｃを連設することにより、左右両側方と上方に開口する前後１対の有底の凹溝１９、１９が、左右方向に全長に亘って形成されている。なお、上部フレーム３の前後寸法は、サイドフレーム２の外向鍔片１２、１２の外端間の寸法とほぼ等しくしてある。
【００２４】
符号２０は、サイドフレーム２と上部フレーム３とを連結するための連結部材で、サイドフレーム２の中空孔１０に上方より嵌合される下向き部材２１と、この下向き部材２１の上端部に溶接により固着された、上部フレーム３の中空孔１５に外側方より嵌合される内向き部材２２とを備えている。
【００２５】
図４及び図５に示すように、内向き部材２２は、側面視下向きコ字状断面をなす基部材２３と、その内部に固着または圧嵌された左右方向を向く厚肉の補強部材２４とからなり、基部材２３の上面には、上下方向を向く左右２個の取付孔２５が形成され、また、この取付孔２４と対向するスペーサ２３には、上下方向を向く左右２個の雌ねじ孔２６が形成されている。さらに、上部フレーム３の上面と基部材２３と補強部材２４とには、前記支持軸７が選択的に嵌合される左右２個の軸孔２７が、上下に連通するようにして穿設されている。
【００２６】
サイドフレーム２の内側面の上部に形成された前後左右に離間する４個の取付孔２８に内側方より挿入したねじ２９を、サイドフレーム２に嵌合された下向き部材２１の前後１対の内向片２１ａに形成した上下２個ずつの雌ねじ孔３０に螺合することにより、下向き部材２１はサイドフレーム２内の上部に固定されている。
【００２７】
内向き部材２２を上部フレーム３の内部に固定するには、まず、下向き部材２１をサイドフレーム２に固定した状態で、内向き部材２２を、上部フレーム３の中空孔１５内に、サイドフレーム２の内側面が上部フレーム３の側端と当接するまで嵌合する。
【００２８】
次いで、左右２個のねじ３１、３１を、上部フレーム３の上面板３ａの前後方向の中央部に設けた左右２個の通孔３２と、基部材２３に設けた２個の取付孔２５を介して、補強部材２４の左右２個の雌ねじ孔２６に螺合する。これにより、内向き部材２２は、上部フレーム３の中空孔１５内において上面板３ａの外側部の下面に固定され、かつ同時に、サイドフレーム２と上部フレーム３とが連結される。
【００２９】
サイドフレーム２と上部フレーム３とを連結した後、ガイドローラ８が取り付けられた支持軸７を、上部フレーム３の上面板３ａと内向き部材２２とに設けた左右の軸孔２７のいずれか（実施例では外側のもの）に、上方より嵌合し、支持軸７の下端部に形成された雄ねじ部３３における補強部材２４の下方に突出する下端部に、圧縮コイルばね３４とワッシャ３５を介して、ナット３６を螺合する。これにより、上部フレーム３の側端部の前後方向の中央部に、支持軸７が取り付けられる。なお、上部フレーム３の上面板３ａの側端部に、外側方に開口する左右方向の長溝を設けてもよく、このようにすると、支持軸７を内向き部材２２に予め取り付けた状態で、それらを同時に上部フレーム３に取り付けることができる。
【００３０】
上部フレーム３における前述した前後の凹溝１９、１９には、前後１対の遮蔽部材３７、３７が、次のようにして装着されている。
【００３１】
図４に示すように、両遮蔽部材３７は、凹溝１９に嵌合可能な内向きに弾性変形可能な合成樹脂よりなる側面視ほぼ下向きコ字状断面の基部３８と、その上面に一体成形されたエラストマーまたは軟質合成樹脂等よりなる中空かつ可撓性の遮蔽部３９とからなり、基部３８の前後寸法は、凹溝１９に嵌合可能な寸法とされ、また両遮蔽部材３７の全体の左右寸法は、上部フレーム３の左右寸法と等しくされている。
【００３２】
前記基部３８の前後の下向片３８ａ、３８ａは、前後外向きに円弧状に湾曲され、それらの前面と後面の突部４０、４０は、図４に２点鎖線で示すように、上部フレーム３における前後の凹溝１９、１９の対向面に形成された左右方向に連続する上下複数の係止溝４１、４１に、選択的に係止されるようになっている。
【００３３】
前後の起立片３ｃの上端には、それぞれ後方と前方を向く、遮蔽部材３７の抜止め片４２、４２が、対向状に連設されている。
【００３４】
前部の遮蔽部３９の後面を斜め前上方に、後部の遮蔽部３９の前面を斜め後上方に、それぞれ傾斜させることにより、前後の遮蔽部３９、３９の前後幅を、上方に向かって漸次狭幅としてある。このようにすると、前後の遮蔽部３９が、ガイドレール９の前後面の下端部と大きく離間するようになるので、パネル１が走行時に前後方向に大きく傾斜した際でも、遮蔽部３９の上端部がガイドレール９と干渉しにくくなる。
【００３５】
左右の遮蔽部材３７を上部フレーム３に取り付けるには、上部フレーム３にサイドフレーム２を取り付ける前において、上部フレーム３の前後の凹溝１９、１９に、遮蔽部材３７の基部３８を、その両下向片３８ａを内向きに若干弾性変形させながら、凹溝１９の一側方の開口端より挿入する。この際、下向片３８ａの突部４０を、凹溝１９の対向面の上下複数の係止溝４１のいずれかを選択して嵌合する。すなわち、図４に示すように、前後の遮蔽部３９の上端部が、ガイドレール９の前後両面の少なくとも下端と離間して対向することにより、上部フレーム３とガイドレール９との間の隙間が遮蔽されるとともに、支持軸７が前後両方向から覆われるように、適宜の係止溝４１を選択(実施例では最上部の係止溝を選択)して嵌合する。なお、床面Ｆやガイドレール９の高さに応じて、遮蔽部材３７の上下位置を変更する際には、凹溝１９内において遮蔽部材３７を上下方向に移動させ、下向片３８ａの突部４０を他の係止溝４１に弾性的に嵌合して係止させればよい。
【００３６】
このようにして、上部フレーム３の上面に前後１対の遮蔽部材３７を取り付け、その遮蔽部３９の上端部を、ガイドレール９の前後両面の下端部と対向させることにより、上部フレーム３とガイドレール９との間に形成される隙間を体裁よく遮蔽することができるとともに、左右の支持軸７も覆われるので、外部に露呈することがない。
【００３７】
また、遮蔽部３９は、ガイドレール９の前方及び後方に離間しているので、パネル１を走行する際にこれが前後方向に傾斜しても、ガイドレール９と接触して摺動抵抗が大きくなる恐れはなく、従ってパネル１を軽快に移動させることができるとともに、遮蔽部３９を摩耗させる恐れもない。
【００３８】
さらに、遮蔽部３９は、中空かつ可撓性を有するものとしてあるので、万一、パネル１が走行時に前後方向に大きく揺動してガイドレール９に接触したとしても、パネル１の移動の妨げとなったり、ガイドレール９や遮蔽部３９を損傷させたりすることがない。
【実施例２】
【００３９】
図６は、本発明の実施例２に係わる移動式パネルの要部の縦断側面図である。この実施例２の遮蔽部材４３、４３は、合成樹脂よりなる左右方向を向く中実状の基部４３ａと、その上面に一体成形された前記第１実施例と同様の中空、かつ可撓性の遮蔽部４３ｂとからなり、基部４３ａの外面には、突部４４が、左右方向に全長に亘って突設されている。
【００４０】
また、上部フレーム３の上面には、前記実施例１の凹溝１９よりも前後幅の大きな前後１対の凹溝４５、４５が形成され、この凹溝４５内において前後の側面板３ｂ、３ｂの上端に連設された上方を向く起立片３ｃの対向面には、前記突部４４が選択的に嵌合する上下複数の係止溝４６が、左右方向に全長に亘って形成されている。
【００４１】
符号４７、４７は、凹溝４５内において前後の遮蔽部材４３を保持するための上部フレーム３の左右寸法と等長をなす保持部材で、前後方向外向きの取付片４７ａと、その内端より起立する保持片４７ｂとからなっている。
【００４２】
遮蔽部材４３を取り付けるには、まず、基部４３ａの突部４４を、起立片３ｃの係止溝４６のいずれかを選択して嵌合する。この際、前記実施例１と同様に、遮蔽部４３ｂの上端部が、ガイドレール９の前後両面の少なくとも下端と対向するように、適宜の係止溝４１を選択する。
【００４３】
次いで、前後の保持部材４７の保持片４７ｂを基部４３ａの内側面に圧接させた状態で、取付片４７ａを、左右複数のねじ４８をもって、凹溝４５内の底面に固定する。これにより、前後の遮蔽部材４３は、上部フレーム３の凹溝４５内において、側面板３ｂと保持片４７ｂとにより不動状態で挟持される。
【００４４】
保持部材４７の上下位置を変更する際には、保持部材４７を取り外して、基部４３ａの突部４４を適宜の係止溝４６に嵌合したのち、再度保持部材４７を凹溝４５内の底面に固定すればよい。
【００４５】
この実施例２の移動式パネルにおいては、遮蔽部材４３が起立片３ｃと保持部材４８により挟持されて、上部フレーム３に固定されているので、パネル輸送時や施工時に遮蔽部材４３が位置ずれしたり、凹溝４５より外れたりするのが防止される。
【００４６】
また、上部フレーム３にサイドフレーム２を取り付けた状態のまま、保持部材４７を取り外すだけで、パネル１の上方から遮蔽部材４３の上下位置を容易に変更することができる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
前記実施例２では、上部フレーム３の上面の前後部に凹溝４５を設け、この凹溝４５内において遮蔽部材４３を、起立片３ｃと保持部材４７とにより挟持しているが、このような凹溝４５を設けないで、例えば上部フレーム３の上面を平坦とし、その上面に係止溝を有する起立片を突設し、この起立片と、上部フレーム３の上面にねじ止めした保持部材４７の保持片４７ｂとにより、遮蔽部材４３を上下位置変更可能に挟持してもよい。
【００４９】
また、前記実施例では、支持軸７を、上部フレーム３に取り付けているが、サイドフレーム２に取り付けてもよい。この際には、サイドフレーム２に取り付けた支持軸７を覆いうるようにように、遮蔽部材３７、４３の左右寸法を、左右のサイドフレーム２の両側端に達する長さとすればよい。
【符号の説明】
【００５０】
１                移動式パネル
２                サイドフレーム
３                上部フレーム
３ａ              上面板
３ｂ              側面板
３ｃ              起立片
４                下部フレーム
５                ガラスパネル（パネル本体）
６                キャスタ
７                支持軸
８                ガイドローラ（案内部材）
９                ガイドレール
１０              中空孔
１１              開口部
１２              外向鍔片
１３              嵌合凹部
１４              緩衝部材
１５              中空孔
１６              下向突部
１７              凹部
１８              パッキン
１９              凹溝
２０              連結部材
２１              下向き部材
２１ａ            内向片
２２              内向き部材
２３              基部材
２４              補強部材
２５              取付孔
２６              雌ねじ孔
２７              軸孔
２８              取付孔
２９              ねじ
３０              雌ねじ孔
３１              ねじ
３２              通孔
３３              雄ねじ部
３４              圧縮コイルバネ
３５              ワッシャ
３６              ナット
３７              遮蔽部材
３８              基部
３８ａ            下向片
３９              遮蔽部
４０              突部
４１              係止溝
４２              抜止め片
４３              遮蔽部材
４３ａ            基部
４３ｂ            遮蔽部
４４              突部
４５              凹溝
４６              係止溝
４７              保持部材
４７ａ            取付片
４７ｂ            保持片
４８              ねじ
Ｆ                床面
Ｒ                天井
【図１】
2013147897.tif 000003
【図２】
2013147897.tif 000004
【図３】
2013147897.tif 000005
【図４】
2013147897.tif 000006
【図５】
2013147897.tif 000007
【図６】
2013147897.tif 000008